(57)【要約】【課題】  本願は、複数のパネル状部材で構成された既設外壁面に横材を止着し、新規外壁材を取り付ける外壁材の取付構造に関するものである。新規外壁材の裏面側に浸水した場合でも、パネル状部材同士の縦目地や横目地に水が流れることがない外壁材の取付構造を提供することを目的とする。【解決手段】  本願は、複数のパネル状部材で構成された既設外壁面に横材を止着し、新規外壁材を取り付ける外壁材の取付構造である。横材は、下地止着部と、下地止着面の上端又は下端に外壁材固定部を有している。外壁材固定部は、外壁材側に下り勾配を形成する上面と、外壁材固定面と、下面とが断面略コ字状に形成されている。新規外壁材の取付に当たっては、パネル状部材同士の横目地上に外壁材固定部を位置させて、横材が、既設外壁面に下地止着部によって止着される。【選択図】  図２
2017043908.tif 000002
【特許請求の範囲】
【請求項１】
複数のパネル状部材で構成された既設外壁面に横材を止着し、
新規外壁材を取り付ける外壁材の取付構造であって、
前記横材は、
下地止着部と、
該下地止着面の上端又は下端に外壁材固定部を有しており、
該外壁材固定部は、
外壁材側に下り勾配を形成する上面と、
外壁材固定面と、
下面とが断面略コ字状に形成されており、
前記パネル状部材同士の横目地上に前記外壁材固定部を位置させて、
前記横材が、
既設外壁面に前記下地止着部によって止着される
外壁材の取付構造。
【発明の詳細な説明】
【技術分野】
【０００１】
本願は、複数のパネル状部材で構成された既設外壁面に横材を止着し、新規外壁材を取り付ける外壁材の取付構造に関するものである。新規外壁材の裏面側に浸水した場合でも、パネル状部材同士の縦目地や横目地に水が流れることがない外壁材の取付構造を提供することを目的とする。
【背景技術】
【０００２】
従来技術について、図６から図７までで説明する。
【０００３】
図６は、特開２００１−３４９０４０号公報にて公開されている改修すべきＡＬＣ製外囲体に改修用外囲体又は改修用外囲体を固定するための取付金具を固定する方法に関する技術である。図８に示した先行技術では、断面ハット形状を成す長尺状である取付金具６を用いる。
【０００４】
図７は、特開２００７−８５０３３号公報にて公開されている横材に関する技術である。図７に示した先行技術は、上面を外壁材７側に向けて下り勾配で一様に傾斜していることを特徴としている。
【先行技術文献】
【特許文献】
【０００５】
【特許文献１】特開２００１−３４９０４０号公報
【特許文献２】特開２００７−８５０３３号公報
【発明の概要】
【発明が解決しようとする課題】
【０００６】
図６に示した先行技術は、曲げ角度が略直角である断面ハット形状である。そのため、取付金具６上に水が滞留する。そのため、取付金具６上から下地側に水が流れてしまうことがある。その結果、下地がＡＬＣパネル等である場合、止水材の劣化した縦目地や横目地に水が到達してしまい、浸水してしまう恐れがあった。さらに、水が取付金具６上を横走りしてパネル体同士の縦目地に到達しやすい構成であった。
【０００７】
図７に示した先行技術は、断面形状が台形であるために、正面部６２から止着具を打ち込む必要がある。そのため、長い止着具が必要であった。たとえば、止着具を長くすると、コスト増加につながる。逆に、止着具が短いと、既設外壁面などの下地に刺さる深さが確保できず、新規外壁材の取付強度が弱くなる可能性があった。
【０００８】
図６及び図７に示した先行技術はともに、輸送コストが高かった。図６に示した取付金具は略直角に曲げた金属製部材、図７に示した横胴縁は断面台形の木製部材である。そのために、単純に積み重ねる、もしくは並べて梱包するしかなかった。その結果、梱包体積が大きくなる上に、安定した状態にならないことによって、輸送コストの増加を招いていた。
【課題を解決するための手段】
【０００９】
本願は、複数のパネル状部材で構成された既設外壁面に横材を止着し、新規外壁材を取り付ける外壁材の取付構造である。横材は、下地止着部と、下地止着面の上端又は下端に外壁材固定部を有している。外壁材固定部は、外壁材側に下り勾配を形成する上面と、外壁材固定面と、下面とが断面略コ字状に形成されている。新規外壁材の取付に当たっては、パネル状部材同士の横目地上に外壁材固定部を位置させて、横材が、既設外壁面に下地止着部によって止着される。
【発明の効果】
【００１０】
本願の外壁材の取付構造は、上面の下り勾配によって、新規外壁材側に水が流れる構造である。そのため、水が横材の上面を横走りせず、縦目地に雨水が到達しにくい構成になっている。また、本願の横材は、パネル状部材同士の横目地上に外壁材固定部を位置させて、既設外壁面に下地止着部によって止着される。そのため、外壁材固定部によってパネル状部材同士の横目地が覆われた状態になり、その横目地に雨水が到達することはない。
【００１１】
本願の外壁材の取付構造では、横材が、既設外壁面に下地止着部によって止着される。そのため、短い止着具で、既設外壁面に横材を十分な強度で固定することができる。その結果、安全性が向上するうえに、コストを低減させることができる。
【００１２】
本願の外壁材の取付構造では、横材が、台形型の開口を有する形状である。そのため、省スペースで安定した状態に重ね合わせることができる。その結果、梱包体積が小さくなり、輸送コストを低減させることができる。
【図面の簡単な説明】
【００１３】
【図１】本願で用いる横材の実施例を示す説明図である。
【図２】本願の外壁材の取付構造の実施例を示す説明図である。
【図３】本願の外壁材の取付構造の実施例と水の流れ（破線矢印）を示す説明図である。
【図４】本願の外壁材の取付構造の実施例を示す説明図である。
【図５】本願で用いる横材を重ね合せた実施例を示す説明図である。
【図６】従来技術の説明図である。
【図７】従来技術の説明図である。
【実施例】
【００１４】
本願の外壁材の取付構造について、図１から図７までにより説明する。図１は、本願で用いる横材の実施例を示す斜視図である。図２は、本願の外壁材の取付構造の実施例を示す説明図である。図３は、本願の外壁材の取付構造の実施例（ａ）〜（ｃ）を示す説明図であり、パネル状部材同士の横目地付近における水の流れを破線矢印で示したものである。図４は、本願の外壁材の取付構造を示す実施例であり、パネル状部材同士の縦目地付近の説明図である。図５は、本願で用いる横材を重ね合わせた実施例の説明図である。
【００１５】
本願において、既設外壁面Ｂは、複数のパネル状部材Ｂ１で構成されていればよく、その材質等は問わない。そのなかでも、パネル状部材Ｂ１がＡＬＣ（Ａｕｔｏｃｌａｖｅｄ  Ｌｉｇｈｔｗｅｉｇｈｔ  ａｅｒａｔｅｄ  Ｃｏｎｃｒｅｔｅ；高温高圧蒸気養生された軽量気泡コンクリート）パネルである場合に効果が高い。たとえば、改修を必要とするＡＬＣパネルは、縦目地・横目地部分に施した止水材が経年劣化している。さらに、地震等によって、ＡＬＣパネル同士の位置がずれてしまっていることもあり、浸水しやすい状態になっていることも少なくない。そのため、パネル状部材Ｂ１がＡＬＣパネルである場合、雨水が既設外壁面Ｂ側、とくにＡＬＣパネル同士の縦目地や横目地に到達しないことは、必須条件であると言える。
【００１６】
本願において、外壁材Ｗは、金属サイディングや乾式壁材等を指す。本願では、外壁材Ｗの種類、大きさ等は問わない。外壁材Ｗは、横材１を用いて既設外壁面Ｂに取り付けられるものであれば良い。そのなかでも、本願で用いる横材１は、断面波状の金属サイディングを縦張りするのに適している。その場合、外壁材Ｗが断面波状であることによって外壁材Ｗと横材１との間に空間が形成される。そのため、横材１の上面１２１の下り勾配によって流れてきた水がその空間を通り、土台側へと流れていく構造になっている。
【００１７】
本願で用いる横材１について説明する。図１に示した実施例の横材１は、断面略ハット形状の長尺部材である。樹脂などでもよく、材質は問わない。しかし、加工のしやすさ、強度等の面で金属製が望ましい。本願の横材１は、金属製の場合、板状のものを折り曲げて成形されたものでも良いし、押出成形されたものでも良い。
【００１８】
本願で用いる横材１は、下地止着部１１を有する。下地止着部１１は、横材１を既設外壁面Ｂに止着するために用いられる。たとえば、下地止着部１１は、止着具Ｆが打ち込まれる面などを指す。下地止着部１１に、あらかじめ孔をあけておき、そこに止着具Ｆを挿通するようにしても良い。
【００１９】
また、図３（ａ）〜（ｃ）に示した横材１の場合、いずれも横材１を既設外壁面Ｂに密着させ、下地止着部１１に止着具Ｆを打ち込む。そのため、止着具Ｆの長さは、既設外壁面Ｂに対して固定強度を得るのに必要な深さと、横材１の板厚の「和」程度でよい。そのため、ビス等の止着具Ｆは、図９に示す木製のもの等に比べて短くて済み、低コストで止着することができ、かつ十分な固定強度を得ることができる。
【００２０】
本願で用いる横材１は、下地止着部１１の上端又は下端に外壁材固定部１２を有する。この外壁材固定部１２は、外壁材Ｗ側に下り勾配を形成する上面１２１と、外壁材固定面１２２と、下面１２３とで断面略コ字状になっている。そのため、外壁材固定部１２２は、下地止着部１１から外壁材Ｗ側に突出した形状になっている。
【００２１】
本願で用いる横材１の上面１２１は、外壁材Ｗ側に下り勾配になっている。それにより、外壁材Ｗの裏側に浸水があった場合でも、外壁材Ｗ側に水が流れる。そのため、既設外壁面Ｂ側に水が到達しない。
【００２２】
本願で用いる横材１の外壁材固定面１２２は、外壁材Ｗが固定される部分である。この外壁材固定面１２１に外壁材Ｗが固定される。図４及び図５の実施例では、ビス等で固定されている。そのほか、外壁材Ｗを嵌合等によって取り付けるための別部材を、外壁材固定面１２１に組み合わせても良い。
【００２３】
図３（ａ）に示す実施例は、下地止着面の下端に外壁材固定部を有する。既設外壁面ＢがＡＬＣパネルの場合、外壁材固定部１２の上側を固定する。パネル状部材Ｂ１がＡＬＣパネルの場合、パネル状部材Ｂ１の端部近傍は大変脆くなっており、止着具Ｆにより崩れてしまう恐れもある。それに対し、本願は、パネル状部材Ｂ１・Ｂ１同士の横目地Ｙ上に外壁材固定面１２２を位置させながらも、パネル状部材Ｂ１の端部近くに止着具Ｆを打ち込まなくてよい構成になっている。
【００２４】
また、図３（ｂ）に示す実施例は、下地止着面の上端に外壁材固定部を有する。既設外壁面ＢがＡＬＣパネルの場合、外壁材固定部１２の下側を固定する。パネル状部材Ｂ１がＡＬＣパネルの場合、パネル状部材Ｂ１の端部近傍は大変脆くなっており、止着具Ｆにより崩れてしまう恐れもある。それに対し、本願は、パネル状部材Ｂ１・Ｂ１同士の横目地Ｙ上に外壁材固定面１２２を位置させながらも、パネル状部材Ｂ１の端部近くに止着具Ｆを打ち込まなくてよい構成になっている。
【００２５】
本願で用いる横材１の上面１２１と下面１２３とは、線対称の略倒ハ字状に形成されているのが望ましい。そうすることで、図３（ａ）及び（ｂ）に示した実施例を１種類の横材１で使い分けることができる。したがって、低コストで、既存外壁面Ｂに応じた止着が可能になる。
【００２６】
図３（ａ）〜（ｃ）に示した実施例において、いずれも横材１の外壁材固定部１２の上・下端部は、それぞれ下地止着部１１又は下地当接部１３である。本願の横材１は、外壁材固定部１２の上・下端部双方に下地止着部１１・１１が形成されていても良い。しかし、外壁材固定部１２の上・下端部どちらか一方に下地止着部１１、他方に下地当接部１３が形成されていることが望ましい。そうすることで、外壁材固定部１２の上・下端部どちらか一方に形成された下地止着部１１だけを止着すればよい。その結果、止着具Ｆの本数を減らすことができ、横材１の取付負荷を軽減することができる。また、下地当接部１３は、外壁材Ｗにかかる荷重を支持する役割を果たす。
【００２７】
本願で用いる横材１の下地当接部１３は、図３（ｃ）に示すように、下面１２３の下端縁であってもよい。また、逆に上面１２１の上端縁であっても良い。一方、図３（ａ）や（ｂ）に示した実施例では、本願の下地当接部１３は、上面１２１又は下面１２３の端縁を外側に折り曲げたように形成されている。このように、本願で用いる横材１は、図３（ａ）や（ｂ）に示すような断面略ハット型であることが望ましい。そうすることによって、既設外壁面Ｂに「面」で当接することになり、下地当接部１３によって既設外壁面Ｂに傷を付けたり、既設外壁面Ｂを破損してしまったりする可能性を低減することができる。
【００２８】
本願は、図３（ａ）〜（ｃ）に示すように、横材１がパネル状部材Ｂ１・Ｂ１同士の横目地Ｙを覆うように取り付けられる。その結果、横目地Ｙへの防水カバーとしての効果も得られる。
【００２９】
図４に示した実施例の場合、外壁材Ｗは柔軟性を有する。この場合、同一階層で隣り合うパネル状部材Ｂ１・Ｂ１それぞれに固定された横材１・１に、外壁材Ｗが固定される。いいかえれば、外壁材Ｗが複数のパネル状部材Ｂ１に固定された状態になる。
【００３０】
図４に示した実施例の場合、地震等によりパネル状部材Ｂ１・Ｂ１同士の縦目地Ｔが開いてしまった場合、縦目地Ｔ近傍の山部Ｗ１が伸びる（変形する）。その結果、パネル状部材Ｂ１・Ｂ１同士の縦目地Ｔの開き部分を外壁材Ｗがカバーした状態を保つことができる。なお、伸びる（変形する）部分は、山部Ｗ１でなく、谷部であってもよい。
【００３１】
図４に示した実施例のように、外壁材Ｗは、断面波状の金属サイディングであることが望ましい。そうすることによって、パネル状部材Ｂ１・Ｂ１同士の縦目地Ｔ上に、山部Ｗ１（又は谷部）の位置を合わせやすい。パネル状部材Ｂ１・Ｂ１同士の縦目地Ｔ上に位置する山部Ｗ１（又は谷部）だけを別の形状にしても良いが、外壁材Ｗは同形状で連続する断面波状のほうが成形しやすく、意匠性も高い。
【００３２】
なお、山部Ｗ１等の断面形状は、問わない。図４に示すように略倒コ字状であっても良いし、そのほか山型状であっても良い。パネル状部材Ｂ１・Ｂ１同士の縦目地Ｔの開き幅が予測できる場合は、その開き幅よりも山部Ｗ１の寸法の方が長くなるように設定されているのが望ましい。
【００３３】
本願で用いる横材１の長さは、問わない。たとえば、横材の長さを、１枚のパネル状部材Ｂ１の水平寸法以下にした場合、上記のように外壁材Ｗに図４のような山部Ｗ１を形成させておくことが望ましい。そうすることによって、パネル状部材Ｂ１・Ｂ１同士の縦目地Ｔが開いても、外壁材Ｗがカバーした状態を保つことができる。
【００３４】
そのほか、図２に示すように、横材の長さを、１枚のパネル状部材Ｂ１の水平寸法に対して約３倍程度にしてもよい。このとき、３枚のパネル状部材Ｂ１・Ｂ１・Ｂ１上に掛け渡すように横材１が止着される。この場合、１枚のパネル状部材Ｂ１の水平寸法以下の長さにするのに比べ、横材１の本数を３分の１にすることができる。そうすることによって、コスト、及び横材１を止着する作業負荷を低減させることができる。この場合でも、上記のように外壁材Ｗに図４のような山部Ｗ１を形成させておくことによって、外壁材Ｗがパネル状部材Ｂ１・Ｂ１同士の縦目地Ｔをカバーした状態を保つことができる。したがって、本願で用いる横材１の長さは、パネル状部材Ｂ１の水平寸法に対して約３倍であることが望ましい。
【００３５】
本願で用いる横材１は、外壁材固定部１２の裏面側に台形型の開口Ｓを有する形状である。そのため、外壁材固定部１２に、別の横材１の外壁材固定部１２の裏面側の開口Ｓを重ね合わせることができる。こうすることで、梱包体積を小さくすることができ、輸送コストを低減させることができる。このように、横材１・１同士が重ね合わされた状態では、上面１２１及び下面１２３が輸送中のズレを規制する壁の役割を果たす。そのため、安定した状態を保つことができ、安全に輸送することができる。
【符号の説明】
【００３６】
１        横材
１１      下地止着部
１２      外壁材固定部
１２１    上面
１２２    外壁材固定面
１２３    下面
１３      下地当接部
Ｓ        開口
Ｂ        既設外壁面
Ｂ１      パネル状部材
Ｙ        横目地
Ｔ        縦目地
Ｗ        外壁材
Ｗ１      山部
Ｆ        止着具
【図１】
2017043908.tif 000003
【図２】
2017043908.tif 000004
【図３】
2017043908.tif 000005
【図４】
2017043908.tif 000006
【図５】
2017043908.tif 000007
【図６】
2017043908.tif 000008
【図７】
2017043908.tif 000009